(57)【要約】【課題】長寿命化及び小型化を図るエレベーター用非常電源供給装置の提供。【解決手段】上記課題は、エレベーターの運行状態を常時監視してエレベーターに異常が発生した時、電話回線を介して異常発生を遠隔的に監視する監視センターへ通報する監視装置１と、エレベーターへの常用電源の停電時にその乗りかご内を照らす停電灯３と、乗りかご内外の通話を確立するインターホン４とに、停電時に電源を供給するために監視装置１に近傍に配設した非常用バッテリー５を備えてなるエレベーター用非常電源供給装置において、停電が発生してインターホン４の呼び出し釦４Ａが押圧されることで、監視装置１とインターホン４との間の通話が行われてその通話が終了すると監視装置１をスリープモードとするとともに、停電が発生してから呼び出し釦４Ａが押圧されないまでの経過時間が所定時間に達すると停電灯３を消灯させる構成にすることで、達成できる。【選択図】図１
2008230728.tif 000002
【特許請求の範囲】
【請求項１】
エレベーターの運行状態を常時監視するとともに、エレベーターに異常が発生した時、電話回線を介して異常発生を遠隔的に監視する監視センターへ通報する監視装置と、エレベーターの乗りかごに設けられてエレベーターへの常用電源の停電時にその乗りかご内を照らす停電灯と、前記乗りかご内と前記乗りかご外との通話を確立するインターホンとに、少なくとも前記停電時に電源を供給するために前記監視装置の近傍に配設した非常用バッテリーを包含するエレベーター用非常電源供給装置において、
前記停電が発生することで前記インターホンの呼び出し釦が押圧されることにより、前記監視装置と前記インターホンとの間の通話が行われてその通話が終了すると前記監視装置をスリープモードとするとともに、前記停電が発生してから前記呼び出し釦が押圧されないまでの経過時間が所定時間に達すると前記停電灯を消灯させる構成にしたことを特徴とするエレベーター用非常電源供給装置。
【請求項２】
前記スリープモードが設定された後、前記呼び出し釦が押圧されたときに、前記スリープモードを解除する構成にしたことを特徴とする請求項１記載のエレベーター用非常電源供給装置。
【請求項３】
前記停電が発生してから前記呼び出し釦が押圧されないまでの前記所定時間を、約５分としたことを特徴とする請求項１若しくは２記載のエレベーター用非常電源供給装置。
【請求項４】
エレベーターの運行状態を常時監視するとともに、エレベーターに異常が発生した時、電話回線を介して異常発生を遠隔的に監視する監視センターへ通報する監視装置と、エレベーターの乗りかごに設けられてエレベーターへの常用電源の停電時にその乗りかご内を照らす停電灯と、前記乗りかご内と前記乗りかご外との通話を確立するインターホンとに、少なくとも前記停電時に電源を供給するために前記監視装置の近傍に配設した非常用バッテリーを包含するエレベーター用非常電源供給装置において、
前記停電灯の連続点灯時間が設定義務時間を経過するとその経過を検出して信号出力する停電時間検出手段と、前記非常用バッテリーの電圧が所定電圧値になると信号出力する電圧検出手段とを設け、この停電時間検出手段若しくは電圧検出手段からの信号出力によって前記乗りかごに設けた報知手段で前記停電灯を消灯させる旨の放送を行った後、前記停電灯を消灯させ、その後、前記監視装置をスリープモードとするとともに、前記停電が発生してから前記呼び出し釦が押圧されないまでの経過時間が所定時間に達すると前記停電灯を消灯させる構成にしたことを特徴とするエレベーター用非常電源供給装置。
【請求項５】
エレベーターの運行状態を常時監視するとともに、エレベーターに異常が発生した時、電話回線を介して異常発生を遠隔的に監視する監視センターへ通報する監視装置と、エレベーターの乗りかごに設けられてエレベーターへの常用電源の停電時にその乗りかご内を照らす停電灯と、前記乗りかご内と前記乗りかご外との通話を確立するインターホンとに、少なくとも前記停電時に電源を供給するために前記監視装置の近傍に配設した非常用バッテリーを包含するエレベーター用非常電源供給装置において、
前記停電灯の連続点灯時間が設定義務時間を経過するとその経過を検出して信号出力する停電時間検出手段と、前記非常用バッテリーの電圧が所定電圧値になると信号出力する電圧検出手段とを設け、この停電時間検出手段からの信号出力及び前記電圧検出手段からの信号出力によって前記乗りかごに設けた報知手段を用いて前記停電灯を消灯させる旨の放送を行った後、前記停電灯を消灯させ、その後、前記監視装置をスリープモードとするとともに、前記停電が発生してから前記呼び出し釦が押圧されないまでの経過時間が所定時間に達すると前記停電灯を消灯させる構成にしたことを特徴とするエレベーター用非常電源供給装置。
【請求項６】
前記設定義務時間を、約３０分とし、かつ、前記所定電圧値を、前記非常用バッテリーが過放電領域に達しない電圧としたことを特徴とする請求項５記載のエレベーター用非常電源供給装置。
【発明の詳細な説明】
【技術分野】
【０００１】
本発明は、エレベーター用非常電源供給装置に関するものである。
【背景技術】
【０００２】
従来、エレベーター用非常電源供給装置としては、エレベーターへの常用電源の停電が発生するなどの非常時に巻上機のブレーキを開放するための非常用バッテリーと、この非常用バッテリーにそれぞれ接続されたエレベーターに設けた複数の負荷と、エレベーターへの常用電源の停電を検出した後、それぞれに時限動作する複数のタイマーと、その各タイマーの出力により前記非常用バッテリーからの各負荷への給電をオン／オフする複数のスイッチング回路を備え、前記非常時に巻上機のブレーキを開放するための非常用バッテリーからエレベーターに設けた複数の負荷にも電力を供給するようにしたものが知られていた（例えば、特許文献１参照）。
【特許文献１】特開２００４−１２３３５２公報
【発明の開示】
【発明が解決しようとする課題】
【０００３】
しかしながら、上述した特開２００４−１２３３５２号公報に記載されたエレベーター用非常電源供給装置では、第１に、停電時の巻上機ブレーキ開放用の非常用バッテリーを、インターホン及び停電灯のバッテリーに共用して使用するために、停電時に発生する閉じ込め救出等の非常時に用いる巻上機ブレーキ開放用の非常用バッテリーが設置されていないエレベーターに対応できないという問題点、第２に、巻上機ブレーキ開放用の非常用バッテリーをインターホン及び停電灯のバッテリーに共用して使用することで、巻上機ブレーキ開放用の非常用バッテリーの容量の低下が進んでしまい、実際に停電が発生した場合に、非常用バッテリーの容量が不足のために、巻上機ブレーキの開放が行われず、停電による乗りかご閉じ込め事故を解消することができなくなることが起こるという問題点、第３に、エレベーターにおいては、停電時に、停電灯を３０分連続点灯することが義務付けられているために、巻上機ブレーキ開放用の非常用バッテリーの容量を十分に大きくさせないと、次回の停電時（エレベーターへの常用電源の停電の再発生時）に、停電灯が設定義務時間内の短い時間で消灯してしまったりする若しくはインターホンが短時間で使えなくなったりするという問題点、並びに前記第２及び第３の問題点を解決するために、巻上機ブレーキ開放用の非常用バッテリーの容量を十分に大きくすると、その非常用バッテリーが大型化及び高価格化されてしまうという問題点を有していた。
【０００４】
本発明は、上述した問題点に鑑み、なされたもので、その目的は、非常用バッテリーの長寿命化が図られて非常用バッテリーの大型化及び高価格化を阻止し得るエレベーター用非常電源供給装置を提供することにある。
【課題を解決するための手段】
【０００５】
上記目的を達成するために、本発明は、エレベーターの運行状態を常時監視するとともに、エレベーターに異常が発生した時、電話回線を介して異常発生を遠隔的に監視する監視センターへ通報する監視装置と、エレベーターの乗りかごに設けられてエレベーターへの常用電源の停電時にその乗りかご内を照らす停電灯と、前記乗りかご内と前記乗りかご外との通話を確立するインターホンとに、少なくとも前記停電時に電源を供給するために前記監視装置の近傍に配設した非常用バッテリーを包含するエレベーター用非常電源供給装置において、前記停電が発生することで前記インターホンの呼び出し釦が押圧されることにより、前記監視装置と前記インターホンとの間の通話が行われてその通話が終了すると前記監視装置をスリープモードとするとともに、前記停電が発生してから前記呼び出し釦が押圧されないまでの経過時間が所定時間に達すると前記停電灯を消灯させる構成にしたことを特徴としている。
【０００６】
さらに、本発明は、前記スリープモードが設定された後、前記呼び出し釦が押圧されたときに、前記スリープモードを解除する構成にしたことを特徴としている。
【０００７】
さらに、本発明は、エレベーターへの常用電源の停電が発生してから前記呼び出し釦が押圧されないまでの前記所定時間を、約５分としたことを特徴としている。
【０００８】
さらに、上記目的を達成するために、本発明は、エレベーターの運行状態を常時監視するとともに、エレベーターに異常が発生した時、電話回線を介して異常発生を遠隔的に監視する監視センターへ通報する監視装置と、エレベーターの乗りかごに設けられてエレベーターへの常用電源の停電時にその乗りかご内を照らす停電灯と、前記乗りかご内と前記乗りかご外との通話を確立するインターホンとに、少なくとも前記停電時に電源を供給するために前記監視装置の近傍に配設した非常用バッテリーを包含するエレベーター用非常電源供給装置において、前記停電灯の連続点灯時間が設定義務時間を経過するとその経過を検出して信号出力する停電時間検出手段と、前記非常用バッテリーの電圧が所定電圧値になると信号出力する電圧検出手段とを設け、この停電時間検出手段若しくは電圧検出手段からの信号出力によって前記乗りかごに設けた報知手段で前記停電灯を消灯させる旨の放送を行った後、前記停電灯を消灯させ、その後、前記監視装置をスリープモードとするとともに、前記停電が発生してから前記呼び出し釦が押圧されないまでの経過時間が所定時間に達すると前記停電灯を消灯させる構成にしたことを特徴としたものである。
【０００９】
さらに、上記目的を達成するために、本発明は、エレベーターの運行状態を常時監視するとともに、エレベーターに異常が発生した時、電話回線を介して異常発生を遠隔的に監視する監視センターへ通報する監視装置と、エレベーターの乗りかごに設けられてエレベーターへの常用電源の停電時にその乗りかご内を照らす停電灯と、前記乗りかご内と前記乗りかご外との通話を確立するインターホンとに、少なくとも前記停電時に電源を供給するために前記監視装置の近傍に配設した非常用バッテリーを包含するエレベーター用非常電源供給装置において、前記停電灯の連続点灯時間が設定義務時間を経過するとその経過を検出して信号出力する停電時間検出手段と、前記非常用バッテリーの電圧が所定電圧値になると信号出力する電圧検出手段とを設け、この停電時間検出手段からの信号出力及び前記電圧検出手段からの信号出力によって前記乗りかごに設けた報知手段を用いて前記停電灯を消灯させる旨の放送を行った後、前記停電灯を消灯させ、その後、前記監視装置をスリープモードとするとともに、前記停電が発生してから前記呼び出し釦が押圧されないまでの経過時間が所定時間に達すると前記停電灯を消灯させる構成にしたことを特徴としたものである。
【００１０】
さらに、本発明は、前記設定義務時間を、約３０分とし、かつ、前記所定電圧値を、前記非常用バッテリーが過放電領域に達しない電圧としたことを特徴としている。
【発明の効果】
【００１１】
本発明によれば、停電時に、インターホンの呼び出し釦が押圧されて監視装置とインターホンとの間の通話が終了すると、監視装置をスリープモードするとともに、乗りかご内に乗客が乗っていない場合、停電時に乗りかご内を照らす停電灯を消灯するようにしたので、非常用バッテリーの長寿命化が図られて非常用バッテリーの大型化及び高価格化を阻止することのできるエレベーター用非常電源供給装置が得られる。また、本発明によれば、乗りかご内に乗客が乗っていない場合には、停電時に乗りかご内を照らす停電灯を消灯させ、しかも、乗りかご内に乗客が乗っている場合には、停電灯の連続点灯時間が設定義務時間を超えないうちに若しくは非常用バッテリーが過放電しないうちに停電灯を消灯させるとともに、その消灯後、監視装置をスリープモードにするようにしたので、非常用バッテリーの長寿命化が図られて非常用バッテリーの大型化及び高価格化を阻止することができるエレベーター用非常電源供給装置が得られる。また、本発明によれば、乗りかご内に乗客が乗っていない場合には、停電時に乗りかご内を照らす停電灯を消灯させ、しかも、乗りかご内に乗客が乗っている場合には、停電灯の連続点灯時間が設定義務時間を超えても非常用バッテリーが過放電しないうちに停電灯を消灯させるとともに、その消灯後、監視装置をスリープモードにするようにしたので、非常用バッテリーの長寿命化が図られて非常用バッテリーの大型化及び高価格化を阻止することのできるエレベーター用非常電源供給装置が得られる。
【発明を実施するための最良の形態】
【００１２】
以下、本発明に係るエレベーター用非常電源供給装置の実施形態例を、図１〜図５に、基づいて詳説する。図１は、本発明の一実施形態に係り、エレベーター用非常電源供給装置の要部構成を示すブロック図である。図２は、本発明の一実施形態に係り、エレベーター用非常電源供給装置の要部電気回路図である。図３は、本発明の一実施形態に係り、エレベーター用非常電源供給装置による電源供給手順を示すフローチャートである。図４は、本発明の他実施形態その１に係り、エレベーター用非常電源供給装置による電源供給手順を示すフローチャートである。図５は、本発明の他実施形態その２に係り、エレベーター用非常電源供給装置による電源供給手順を示すフローチャートである。
【００１３】
図１に示す本発明の一実施形態に係るエレベーター用非常電源供給装置は、図１に示すように、エレベーターの運行状態を常時監視するとともに、エレベーターに異常が発生したとき、電話回線（図示せず）を介して異常発生を遠隔的に監視する監視センター（図示せず）へ通報する監視装置１と、エレベーターの乗りかご２に設けられて、エレベーターへの常用電源の停電時にその乗りかご２内を照らす停電灯３と、乗りかご２に設けられて乗りかご２内と乗りかご２外との通話を行うインターホン４とに、少なくとも前記停電時に電源を供給するために監視装置１の近傍に配設した非常用バッテリー５と、乗りかご２内に所定の案内放送を行う音声合成装置からなる報知手段６とを、少なくとも包含する構成としてある。
【００１４】
エレベーター用非常電源供給装置は、エレベーターへの常用電源の停電が発生することでインターホン４の呼び出し釦４Ａが押圧されることにより、監視装置１とインターホン４との間の通話が行われてその通話が終了すると監視装置１をスリープモードとするとともに、このスリープモードが設定された後、呼び出し釦４Ａが押圧されたときに、前記スリープモードを解除する構成とし、しかも、エレベーターへの常用電源の停電が発生してから呼び出し釦４Ａが押圧されないまでの経過時間が所定時間に達すると停電灯３を消灯させる構成としてある。本実施形態例では、エレベーターへの常用電源の停電が発生してから呼び出し釦４Ａが押圧されないまでの前記所定時間を、約５分に設定してある。
【００１５】
監視装置１は、図１に示すように、エレベーター制御装置（図示せず）を格納する制御盤７に設けられている。制御盤７は、エレベーター機械室（図示せず）に設置されており、複数本のケーブルからなるテールコード８によって、乗りかご２と電気的に接続されるようにしてある。非常用バッテリー５は、図１に示すように、テールコード８に配設されたインターホン電源線９によって、停電灯３及びインターホン４などが接続されている。停電灯３は、ＬＥＤ点灯式停電灯としてある。
【００１６】
監視装置１には、エレベーターの運行状況を常時監視して異常発生を検出したとき電話回線を介して複数台のエレベーターの異常発生を遠隔的に監視する監視センター（図示せず）へ通報する異常検出装置１Ａと、インターホン４の呼び出し釦４Ａを、例えば、３秒間押し続ける長押しを行うと、電話回線（図示せず）を介して前記監視センター（図示せず）との通話を確立させる通話装置１Ｂとが、少なくとも備えられている。
【００１７】
次に、本発明の一実施形態に係るエレベーター用非常電源供給装置の電気回路図を、図２に基づいて説明する。
【００１８】
図２に示すように、エレベーターへの常用電源となる交流電源１０には、常開接点１１Ａ１、１１Ａ２及び常閉接点１１Ｂ１、１１Ｂ２、１１Ｂ３、１１Ｂ４有する停電検出リレー１１と、監視装置１への電源を供給する定電圧電源装置１２と、非常用バッテリー５の充電装置１３とが接続されている。定電圧電源装置１２は、常開接点１１Ａ１、１１Ａ２を介して監視装置１に接続されている。監視装置１には、常閉接点１１Ｂ１、１１Ｂ２を介して非常用バッテリー５に接続されている。停電灯３は、常閉接点１１Ｂ３、１１Ｂ４を介して非常用バッテリー５に接続され、かつ、常閉接点１１Ｂ３、１１Ｂ４及び常閉接点１１Ｂ１、１１Ｂ２を介して監視装置１に接続されている。監視装置１は、監視装置１とインターホン４の呼び出し釦４Ａを操作することでオン／オフする釦接点４Ｂとを直列に接続し、かつ、非常用バッテリー５からインターホン４に電源が供給されるようにすることで、呼び出し釦４Ａの操作を検出するようにしてある。
【００１９】
次に、本発明の一実施形態に係るエレベーター用非常電源供給装置による電源供給手順を、図３並びに図１及び図２に基づいて詳説する。
【００２０】
まず、図３のステップＳ１のように、エレベーターへの常用電源となる交流電源１０が停電すると、図２に示す停電検出リレー１１が消勢して、常開接点１１Ａ１、１１Ａ２が開放され、かつ、常閉接点１１Ｂ１、１１Ｂ２、１１Ｂ３、１１Ｂ４が閉成される。これにより、非常用バッテリー５が常閉接点１１Ｂ１、１１Ｂ２を介して監視装置１に接続され、かつ、非常用バッテリー５が常閉接点１１Ｂ３、１１Ｂ４を介して停電灯３に接続されることで、図３のステップＳ２に示すように、監視装置１及び停電灯３の電源が非常用バッテリー５に切り替えられる。
【００２１】
次に、監視装置１及び停電灯３の電源が非常用バッテリー５に切り替えられることで、図３のステップＳ３に示すように、停電灯３が点灯して乗りかご２内を照らすと同時に、エレベーターへの常用電源となる交流電源１０の停電が発生したことが監視装置１の異常検出装置１Ａによって検出されるとともに、この検出された停電発生が監視センターに通報される。その後、図３のステップＳ４に示すように、乗りかご２内に乗客が閉じ込められている場合に、その乗客によってインターホン４の呼び出し釦４Ａが約３０秒以上長押しされると、監視装置１の通話装置１Ｂによってインターホン４と監視センターとの通話が可能となるので、図３のステップＳ５に進み、乗りかご２内の乗客と監視センターの監視員との間での通話（直話）を行う。これにより、乗りかご２内の乗客は、乗りかご２内から監視センターに対して救出その他の依頼等を行い、停電灯３で乗りかご２内が照らされた状態で救出を待つことになる。
【００２２】
次に、インターホン４と監視センターとの通話が終了（終話）したか否かを、図３のステップＳ６に示すように、監視装置１にて判定して、通話が終了していると判定された場合には、図３のステップＳ７に進み、監視装置１がスリープモードに切り替えられて、非常用バッテリー５の消費が抑えられる。
【００２３】
次に、監視装置１がスリープモードに切り替えられた後、乗りかご２内に乗客によって、再度、インターホン４の呼び出し釦４Ａが約３０秒以上長押しされたか否かの判定が、図３のステップＳ８に示すように、監視装置１にてなされる。そして、呼び出し釦４Ａが約３０秒以上長押しされたと判定された場合には、図３のステップＳ９に進み、監視装置１のスリープモードが解除されて、図３のステップＳ５に戻り、乗りかご２内の乗客と監視センターの監視員との間での通話（直話）を、再度、可能にする。
【００２４】
図３のステップＳ４において、乗りかご２内に乗客が閉じ込められていない場合には、インターホン４の呼び出し釦４Ａが操作されることがない。そこで、図３のステップＳ１０に進み、エレベーターへの常用電源の停電が発生してから呼び出し釦４Ａが押圧されないまでの経過時間が、所定時間、例えば、約５分が経過したか否かの判定が行われる。そして、約５分経過したと判定された場合には、図３のステップＳ１１に進み、乗りかご２内を照らす停電灯３を消灯させる。  
以上のように、上記一実施形態に係るエレベーター用非常電源供給装置によれば、エレベーターへの常用電源の停電時に、監視装置１及び停電灯３の電源が非常用バッテリー５に切り替えられても、乗りかご２内に乗客が閉じ込められていない場合には、所定時間経過すると、停電灯３を消灯させ、しかも、インターホン４と監視センターとの通話が終了後は、監視装置１がスリープモードに切り替えられることで、非常用バッテリー５の消費が抑えられるため、非常用バッテリーの長寿命化が図られて非常用バッテリーの大型化及び高価格化を阻止することができる。また、上記一実施形態に係るエレベーター用非常電源供給装置によれば、停電灯３をＬＥＤ点灯式とすることで、停電時の消費電力を軽減させることができる。
【００２５】
次に、本発明の他実施形態その１に係るエレベーター用非常電源供給装置を、説明する。
【００２６】
本発明の他実施形態その１に係るエレベーター用非常電源供給装置は、停電灯３の連続点灯時間が設定義務時間を経過するとその経過を検出して信号出力する停電時間検出手段と、非常用バッテリー５の電圧が所定電圧値になると信号出力する電圧検出手段とを監視装置１に設け、この停電時間検出手段若しくは電圧検出手段からの信号出力によって乗りかご２に設けた報知手段６で停電灯３を消灯させる旨の放送を行った後、停電灯３を消灯させ、その後、監視装置１をスリープモードとするとともに、エレベーターへの常用電源１０の停電が発生してから呼び出し釦４Ａが押圧されないまでの経過時間が所定時間に達すると停電灯３を消灯させるように構成にした点で、上記一実施形態のエレベーター用非常電源供給装置と相違している。
【００２７】
上記他実施形態その１に係るエレベーター用非常電源供給装置では、停電灯３の連続点灯時間に関する設定義務時間を、約３０分とし、かつ、前記所定電圧値を、非常用バッテリー５が過放電領域に達しない電圧に設定してある。
【００２８】
次に、本発明の他実施形態その１に係るエレベーター用非常電源供給装置による電源供給手順を、図４並びに図１及び図２に基づいて詳説する。
【００２９】
まず、図４のステップＳＡ１のように、エレベーターへの常用電源となる交流電源１０が停電すると、図２に示す停電検出リレー１１が消勢して、常開接点１１Ａ１、１１Ａ２が開放され、かつ、常閉接点１１Ｂ１、１１Ｂ２、１１Ｂ３、１１Ｂ４が閉成される。これにより、非常用バッテリー５が常閉接点１１Ｂ１、１１Ｂ２を介して監視装置１に接続され、かつ、非常用バッテリー５が常閉接点１１Ｂ３、１１Ｂ４を介して停電灯３に接続されることで、図４のステップＳＡ２に示すように、監視装置１及び停電灯３の電源が非常用バッテリー５に切り替えられる。
【００３０】
次に、監視装置１及び停電灯３の電源が非常用バッテリー５に切り替えられることで、図４のステップＳＡ３に示すように、停電灯３が点灯して乗りかご２内を照らすと同時に、エレベーターへの常用電源となる交流電源１０の停電が発生したことが監視装置１の異常検出装置１Ａによって検出されるとともに、この検出された停電発生が監視センターに通報される。その後、図４のステップＳＡ４に示すように、乗りかご２内に乗客が閉じ込められている場合に、その乗客がインターホン４の呼び出し釦４Ａを約３０秒以上の長押しがなされると、監視装置１の通話装置１Ｂによってインターホン４と監視センターとの通話が可能となるので、図４のステップＳＡ５に進み、乗りかご２内の乗客と監視センターの監視員との間での通話（直話）が行われる。これにより、乗りかご２内の乗客は、乗りかご２内から監視センターに対して救出その他の依頼等を行い、停電灯３で乗りかご２内が照らされた状態で救出を待つことになる。
【００３１】
次に、インターホン４と監視センターとの通話が終了したか否かを、図４のステップＳＡ６に示すように、監視装置１にて判定して、通話が終了していると判定された場合には、図４のステップＳＡ７に進み、停電時間検出手段によって、交流電源１０の停電から約３０分が経過したか否かが判定される。なお、図４のステップＳＡ６において、通話が終了していないと判定された場合には、図４のステップＳＡ５に戻り、インターホン４と監視センターとの通話が終了したか否かの判定を繰り返して行われる。
【００３２】
図４のステップＳＡ７において、交流電源１０の停電から約３０分が経過していると判定された場合には、図４のステップＳＡ１０に進み、乗りかご２に設けた報知手段６を用いて停電灯３を消灯させる旨の放送（アナウンス）を行った後、図４のステップＳＡ１１に進み、停電灯３を消灯させる。その後、図４のステップＳＡ１２に進み、監視装置１をスリープモードとする。また、図４のステップＳＡ７において、交流電源１０の停電から約３０分が経過していないと判定された場合には、図４のステップＳＡ８に進み、電圧検出手段によって、非常用バッテリー５の電圧が所定電圧値以下か否かが、電圧検出手段によって、判定される。
【００３３】
図４のステップＳＡ８において、非常用バッテリー５の電圧が所定電圧値以下であると判定された場合には、図４のステップＳＡ１０に進み、乗りかご２に設けた報知手段６を用いて停電灯３を消灯させる旨の放送（アナウンス）を行った後、図４のステップＳＡ１１に進み、停電灯３を消灯させる。その後、図４のステップＳＡ１２に進み、監視装置１をスリープモードとする。また、図４のステップＳＡ８において、非常用バッテリー５の電圧が所定電圧値以下でないと判定された場合には、図４のステップＳＡ９に進む。
【００３４】
図４のステップＳＡ９において、乗りかご２内に乗客によってインターホン４の呼び出し釦４Ａが約３０秒以上長押しされると、監視装置１の通話装置１Ｂによってインターホン４と監視センターとの通話が可能となるので、図４のステップＳＡ５に進み、乗りかご２内の乗客と監視センターの監視員との間での通話（直話）が行われる。これにより、乗りかご２内の乗客は、再度、乗りかご２内の乗客から監視センターに対して救出その他の依頼等を行い、停電灯３で乗りかご２内が照らされた状態で救出を待つことになる。また、図４のステップＳＡ９において、乗りかご２内に乗客によってインターホン４の呼び出し釦４Ａが約３０秒以上長押しされない場合には、図４のステップＳＡ７に戻り、交流電源１０の停電から約３０分が経過していると判定されると、ステップＳＡ１０―ステップＳＡ１１―ステップＳＡ１２が実行されて、監視装置１がスリープモードに設定されるとともに、交流電源１０の停電から約３０分が経過していない場合には、ステップＳＡ８に進み、非常用バッテリー５の電圧が所定電圧値以下であるか否かが判定されて、非常用バッテリー５の電圧が所定電圧値以下になると、ステップＳＡ１０―ステップＳＡ１１−ステップＳＡ１２が行われて、監視装置１がスリープモードに設定される。
【００３５】
図４のステップＳＡ４において、乗りかご２内に乗客が閉じ込められていない場合には、インターホン４の呼び出し釦４Ａが操作されることがない。そこで、図４のステップＳＡ１３に進み、エレベーターへの常用電源の停電が発生してから呼び出し釦４Ａが押圧されないまでの経過時間が、所定時間（例えば、約５分）を経過したか否かの判定が行われる。そして、約５分経過したと判定された場合には、図４のステップＳＡ１４に進み、乗りかご２内を照らす停電灯３を消灯させる。
【００３６】
以上のように、上記他実施形態その１に係るエレベーター用非常電源供給装置によれば、乗りかご内に乗客が乗っていない場合には、停電時に乗りかご内を照らす停電灯３を消灯させ、しかも、乗りかご２内に乗客が乗っている場合には、停電灯３の連続点灯時間が設定義務時間を超えないうちに若しくは非常用バッテリー５が過放電しないうちに停電灯を消灯させるとともに、その消灯後、監視装置１をスリープモードにするようにしたので、非常用バッテリー５の長寿命化が図られて非常用バッテリーの大型化及び高価格化を阻止することができる。
【００３７】
さらに、上記他実施形態その１に係るエレベーター用非常電源供給装置によれば、停電灯３を消灯させる旨の放送（アナウンス）を、乗客に対して行った後に、停電灯３を消灯させるようにしたので、乗りかご２内の乗客の不安感を増大させることなく、その乗客の救出を待たせることができる。
【００３８】
次に、本発明の他実施形態その２に係るエレベーター用非常電源供給装置を説明する。
【００３９】
本発明の他実施形態その２に係るエレベーター用非常電源供給装置は、停電灯３の連続点灯時間が設定義務時間を経過するとその経過を検出して信号出力する停電時間検出手段と、非常用バッテリー５の電圧が所定電圧値になると信号出力する電圧検出手段とを設け、この停電時間検出手段からの信号出力及び前記電圧検出手段からの信号出力によって乗りかご２に設けた報知手段６を用いて停電灯３を消灯させる旨の放送を行った後、停電灯３を消灯させ、その後、監視装置１をスリープモードとするとともに、停電が発生してから呼び出し釦４が押圧されないまでの経過時間が所定時間に達すると停電灯３を消灯させるように構成にした点で、上記一実施形態のエレベーター用非常電源供給装置と相違している。
【００４０】
上記他実施形態その２に係るエレベーター用非常電源供給装置も、上記他実施形態その１に係るエレベーター用非常電源供給装置と同様に、停電灯３の連続点灯時間の設定義務時間を、約３０分とし、かつ、前記所定電圧値を、非常用バッテリー５が過放電領域に達しない電圧に設定してある。
【００４１】
次に、本発明の他実施形態その２に係るエレベーター用非常電源供給装置による電源供給手順を、図５並びに図１及び図２に基づいて詳説する。
【００４２】
まず、図５のステップＳＢ１のように、エレベーターへの常用電源となる交流電源１０が停電すると、図２に示す停電検出リレー１１が消勢して、常開接点１１Ａ１、１１Ａ２が開放され、かつ、常閉接点１１Ｂ１、１１Ｂ２、１１Ｂ３、１１Ｂ４が閉成される。これにより、非常用バッテリー５が常閉接点１１Ｂ１、１１Ｂ２を介して監視装置１に接続され、かつ、非常用バッテリー５が常閉接点１１Ｂ３、１１Ｂ４を介して停電灯３に接続されることで、図５のステップＳＢ２に示すように、監視装置１及び停電灯３の電源が非常用バッテリー５に切り替えられる。
【００４３】
次に、監視装置１及び停電灯３の電源が非常用バッテリー５に切り替えられることで、図５のステップＳＢ３に示すように、停電灯３が点灯して乗りかご２内を照らすと同時に、エレベーターへの常用電源となる交流電源１０の停電が発生したことが監視装置１の異常検出装置１Ａによって検出されるとともに、この検出された停電発生が監視センターに通報される。その後、図５のステップＳＢ４に示すように、乗りかご２内に乗客が閉じ込められている場合に、その乗客がインターホン４の呼び出し釦４Ａを約３０秒以上の長押しがなされると、監視装置１の通話装置１Ｂによってインターホン４と監視センターとの通話が可能となるので、図５のステップＳＢ５に進み、乗りかご２内の乗客と監視センターの監視員との間での通話（直話）が行われる。これにより、乗りかご２内の乗客は、乗りかご２内から監視センターに対して救出その他の依頼等を行い、停電灯３で乗りかご２内が照らされた状態で救出を待つことになる。
【００４４】
次に、インターホン４と監視センターとの通話が終了したか否かを、図５のステップＳＢ６に示すように、監視装置１にて判定して、通話が終了していないと判定された場合には、図５のステップＳＢ５に戻り、インターホン４と監視センターとの通話が終了したか否かの判定を繰り返して行われる。そして、ステップＳＢ６において、通話が終了していると判定された場合には、図５のステップＳＢ７に進み、停電時間検出手段によって、交流電源１０の停電から約３０分が経過したか否かが判定される。
【００４５】
図５のステップＳＢ７において、交流電源１０の停電から約３０分が経過したと判定された場合には、図５のステップＳＢ８進み、電圧検出手段によって、非常用バッテリー５の電圧が所定電圧値以下か否かが、電圧検出手段によって、判定される。
【００４６】
図５のステップＳＢ８において、非常用バッテリー５の電圧が所定電圧値以下であると判定された場合には、図５のステップＳＢ１０に進み、乗りかご２に設けた報知手段６を用いて停電灯３を消灯させる旨の放送（アナウンス）を行った後、図５のステップＳＢ１１に進み、停電灯３を消灯させる。その後、図５のステップＳＢ１２に進み、監視装置１をスリープモードとする。また、図５のステップＳＢ８において、非常用バッテリー５の電圧が所定電圧値以下でないと判定された場合には、図５のステップＳＢ９に進む。
【００４７】
図５のステップＳＢ９において、乗りかご２内に乗客によってインターホン４の呼び出し釦４Ａが約３０秒以上長押しされると、監視装置１の通話装置１Ｂによってインターホン４と監視センターとの通話が可能となるので、図５のステップＳＢ５に戻り、乗りかご２内の乗客と監視センターの監視員との間での通話（直話）が行われる。これにより、乗りかご２内の乗客は、再度、乗りかご２内の乗客から監視センターに対して救出その他の依頼等を行い、停電灯３で乗りかご２内が照らされた状態で救出を待つことになる。
【００４８】
図５のステップＳＢ９において、乗りかご２内に乗客によってインターホン４の呼び出し釦４Ａが約３０秒以上長押しされない場合には、図５のステップＳＢ７に戻り、交流電源１０の停電から約３０分が経過していると判定されると、ステップＳＢ８―ステップＳＢ１０−ステップＳＢ１１―ステップＳＢ１２が実行されて、監視装置１がスリープモードに設定される。
【００４９】
図５のステップＳＢ７において、交流電源１０の停電から約３０分が経過しないと判定された場合には、図５のステップＳＢ９に進み、乗りかご２内に乗客によってインターホン４の呼び出し釦４Ａが約３０秒以上長押しされると、監視装置１の通話装置１Ｂによってインターホン４と監視センターとの通話が可能となるので、図５のステップＳＢ５に戻り、乗りかご２内の乗客と監視センターの監視員との間での通話（直話）が行われる。また、図５のステップＳＢ９において、乗りかご２内に乗客によってインターホン４の呼び出し釦４Ａが約３０秒以上長押しされない場合には、図５のステップＳＢ７に戻り、交流電源１０の停電から約３０分が経過していると判定されると、ステップＳＢ８に進み、非常用バッテリー５の電圧が所定電圧値以下か否かが判定されて、非常用バッテリー５の電圧が所定電圧値以下であると判定されると、ステップＳＢ１０−ステップＳＢ１１―ステップＳＢ１２が実行されて、監視装置１がスリープモードに設定される。
【００５０】
図５のステップＳＢ４において、乗りかご２内に乗客が閉じ込められていない場合には、インターホン４の呼び出し釦４Ａが操作されることがない。そこで、図５のステップＳＢ１３に進み、エレベーターへの常用電源の停電が発生してから呼び出し釦４Ａが押圧されないまでの経過時間が、所定時間（例えば、約５分）を経過したか否かの判定が行われる。そして、約５分経過したと判定された場合には、図５のステップＳＢ１４に進み、乗りかご２内を照らす停電灯３を消灯させる。
【００５１】
以上のように、上記他実施形態その２に係るエレベーター用非常電源供給装置によれば、乗りかご２内に乗客が乗っていない場合には、停電時に乗りかご２内を照らす停電灯を消灯させ、しかも、乗りかご２内に乗客が乗っている場合には、停電灯３の連続点灯時間が設定義務時間を超えても非常用バッテリー５が過放電しないうちに停電灯を消灯させるとともに、その消灯後、監視装置１をスリープモードにするようにしたので、非常用バッテリーの長寿命化が図られて非常用バッテリーの大型化及び高価格化を阻止することができる。
【００５２】
さらに、上記他実施形態その２に係るエレベーター用非常電源供給装置も、上記他実施形態その１に係るエレベーター用非常電源供給装置と同様に、停電灯３を消灯させる旨の放送（アナウンス）を、乗客に対して行った後に、停電灯３を消灯させるようにしたので、乗りかご２内の乗客の不安感を増大させることなく、その乗客の救出を待たせることができる。
【図面の簡単な説明】
【００５３】
【図１】本発明の一実施形態に係り、エレベーター用非常電源供給装置の要部構成を示すブロック図である。
【図２】本発明の一実施形態に係り、エレベーター用非常電源供給装置の要部電気回路図である。
【図３】本発明の一実施形態に係り、エレベーター用非常電源供給装置による電源供給手順を示すフローチャートである。
【図４】本発明の他実施形態その１に係り、エレベーター用非常電源供給装置による電源供給手順を示すフローチャートである。
【図５】本発明の他実施形態その２に係り、エレベーター用非常電源供給装置による電源供給手順を示すフローチャートである。
【符号の説明】
【００５４】
１    監視装置
１Ａ  異常検出装置
１Ｂ  通話装置
２    エレベーターの乗りかご
３    停電灯
４    インターホン
４Ａ  呼び出し釦
４Ｂ  釦接点４
５    非常用バッテリー
６    報知手段
７    制御盤
８    テールコード
９    インターホン電源線
１０  交流電源
１１  停電検出リレー
１１Ａ１、１１Ａ２  常開接点
１１Ｂ１、１１Ｂ２、１１Ｂ３、１１Ｂ４  常閉接点
１２  定電圧電源装置
１３  非常用バッテリーの充電装置
【図１】
2008230728.tif 000003
【図２】
2008230728.tif 000004
【図３】
2008230728.tif 000005
【図４】
2008230728.tif 000006
【図５】
2008230728.tif 000007